(57)【要約】【課題】使用者が簡単に、床面などに敷設したり収納することができ、装置収納時において内部の機構などが巻き込まれることなく、スムーズ且つコンパクトに収納することができるストレッチ運動機を提供する。【解決手段】本発明は、使用者Ｕの頭部が載置可能な枕部２と、その枕部２に接続され、使用者Ｕの施療部が載置可能なシート部８と、施療部に対してストレッチ運動させるエアバック９と、そのエアバック９を駆動する駆動機構１０と、を備えているストレッチ運動機１において、エアバック９は、シート部８の内部に格納されていて、駆動機構１０は、枕部２の内部に格納されている。【選択図】図１
2019217037.tif 000002
【特許請求の範囲】
【請求項１】
使用者の頭部が載置可能な枕部と、当該枕部に接続され、前記使用者の施療部が載置可能なシート部と、前記施療部に対してストレッチ運動させるエアバックと、当該エアバックを駆動する駆動機構と、を備えているストレッチ運動機において、
前記エアバックは、前記シート部の内部に格納されていて、
前記駆動機構は、前記枕部の内部に格納されている
ことを特徴とするストレッチ運動機。
【請求項２】
前記枕部には、後方向に向かって張出形状の膨出部が設けられていて、
前記膨出部には、後方向に向かって開口され、前記枕部の内部と外部とを連通状態にする開口部が設けられている
ことを特徴とする請求項１に記載のストレッチ運動機。
【請求項３】
前記駆動機構は、前記エアバッグに空気を供給するポンプと、前記ポンプからの空気を前記エアバッグに導く空気供給ホースと、当該空気供給ホースと前記エアバッグを繋ぐコネクタと、を有していて、
前記コネクタは、前記枕部の膨出部に配設されている
ことを特徴とする請求項２に記載のストレッチ運動機。
【請求項４】
前記膨出部は、前記コネクタを載置する載置面と、前記開口部側であって前記載置面から立設された側壁部と、を有していることを特徴とする請求項３に記載のストレッチ運動機。
【請求項５】
前記シート部は、可撓性の部材で形成され、且つ、前記枕部の外周回りに巻き付け可能に構成されていることを特徴とする請求項１に記載のストレッチ運動機。
【請求項６】
前記シート部の内部には、複数のエアバッグが配置され、
前記複数のエアバッグの夫々は、独立乃至は協働して膨縮・収縮するように構成されている
ことを特徴とする請求項１又は５に記載のストレッチ運動機。
【請求項７】
前記エアバッグは溶着構造で構成され、且つ前記ポンプから供給された空気が通過する空気通路が設けられていて、前記空気通路は、エアバッグ同じような溶着構造を有している
ことを特徴とする請求項６に記載のストレッチ運動機。
【発明の詳細な説明】
【技術分野】
【０００１】
本発明は、使用者の背部や臀部などをストレッチ運動する際に好適なストレッチ運動機の技術に関する。
【背景技術】
【０００２】
従来より、人体の太腿などの施療部をストレッチ運動させることのできる運動機が開発されており、例えば、特許文献１に開示されているものがある。特許文献１のストレッチ装置は、座部に後端部から前端部に向けて下り勾配となる傾斜面の座面を有し、この傾斜面には、使用者の大腿部に接触可能な突起部を有するものとなっている。
【先行技術文献】
【特許文献】
【０００３】
【特許文献１】特開２０１４−１００２２３号公報
【発明の概要】
【発明が解決しようとする課題】
【０００４】
特許文献１などに示すストレッチ装置は、大掛かりな装置であり、大掛かりな装置の割には、ストレッチできる部分が使用者の太腿部に限定されるものであった。
ところが、使用者からの要望として、ストレッチ運動を受けたいときに直ぐに、設置することができ、また、ストレッチ運動を終了したら簡単に収納することができる運動機を開発して欲しいとの要望が挙がってきていた。加えて、様々なストレッチ運動が実施できる運動機を開発も望まれていた。特許文献１に記載のストレッチ装置は、この要望に答えるものではなかった。
【０００５】
そこで、本発明は、上記問題点に鑑み、使用者が簡単に、床面などに敷設したり収納することができ、装置収納時において内部の機構などが巻き込まれることなく、スムーズ且つコンパクトに収納することができるストレッチ運動機を提供することを目的とする。
【課題を解決するための手段】
【０００６】
上記の目的を達成するため、本発明においては以下の技術的手段を講じた。
本発明にかかるストレッチ運動機は、使用者の頭部が載置可能な枕部と、当該枕部に接続され、前記使用者の施療部が載置可能なシート部と、前記施療部に対してストレッチ運動させるエアバックと、当該エアバックを駆動する駆動機構と、を備えているストレッチ運動機において、前記エアバックは、前記シート部の内部に格納されていて、前記駆動機構は、前記枕部の内部に格納されていることを特徴とする。
【０００７】
好ましくは、前記枕部には、後方向に向かって張出形状の膨出部が設けられていて、前記膨出部には、後方向に向かって開口され、前記枕部の内部と外部とを連通状態にする開口部が設けられているとよい。
好ましくは、前記駆動機構は、前記エアバッグに空気を供給するポンプと、前記ポンプからの空気を前記エアバッグに導く空気供給ホースと、当該空気供給ホースと前記エアバッグを繋ぐコネクタと、を有していて、前記コネクタは、前記枕部の膨出部に配設されているとよい。
【０００８】
好ましくは、前記膨出部は、前記コネクタを載置する載置面と、前記開口部側であって前記載置面から立設された側壁部と、を有しているとよい。
好ましくは、前記シート部は、可撓性の部材で形成され、且つ、前記枕部の外周回りに巻き付け可能に構成されているとよい。
好ましくは、前記シート部の内部には、複数のエアバッグが配置され、前記複数のエアバッグの夫々は、独立乃至は協働して膨縮・収縮するように構成されているとよい。
【０００９】
好ましくは、前記エアバッグは溶着構造で構成され、且つ前記ポンプから供給された空気が通過する空気通路が設けられていて、前記空気通路は、エアバッグ同じような溶着構造を有しているとよい。
【発明の効果】
【００１０】
本発明によれば、使用者が簡単に、床面などに敷設したり収納することができ、様々なストレッチ運動を実施することができ、装置収納時において内部の機構などが巻き込まれることなく、スムーズ且つコンパクトに収納することができるようになる。
【図面の簡単な説明】
【００１１】
【図１】本発明のストレッチ運動機の概略を模式的に示した斜視図である。
【図２】ストレッチ運動機の平面図である。
【図３】ストレッチ運動機の側面図である。
【図４】枕部の内部構造を示した拡大斜視図である。
【図５】枕部を側方から見た拡大図である。
【図６】シート部を枕部に巻いて収納した状態のストレッチ運動機を示した図である。
【発明を実施するための形態】
【００１２】
以下、本発明にかかるストレッチ運動機の実施形態を、図を参照して説明する。本実施形態のストレッチ運動機は、床面上に広げることで使用することのできるエア式シート型のストレッチ運動機である。
なお、以下に説明する実施形態は、本発明を具体化した一例であって、その具体例をもって本発明の構成を限定するものではない。また、図面に関して、見やすくするため、構成部品の一部を省略して描いている。
【００１３】
また、以降の説明においては、図１などの図面において示される方向をエア式シート型ストレッチ運動機１（以降、単にストレッチ運動機と呼ぶこともある）を説明する際の方向とする。これらの方向については適宜図面中に矢印を用いて示している。
図１〜図６に、本発明にかかるストレッチ運動機１の構成及び使用態様を示す。
図２、図３などに示すように、本実施形態のストレッチ運動機１は、床面Ｆやベッドなど平らな面上に敷設でき、例えば仰臥した使用者Ｕの肩胛骨部、背中、腰部などの背部、臀部、下肢などの施療部に対して、ストレッチ動作を付与するものである。
【００１４】
ストレッチ運動機１は、仰向けに寝た使用者Ｕの頭部を載置することが可能な枕部２と、当該枕部２の後側に接続され、使用者Ｕの施療部（例えば、背部、臀部、下肢など）の下に広げられるシート部８と、使用者Ｕの施療部に対して、膨張することで当該施療部を押し上げ、当該施療部にストレッチ運動を付与するエアバック９と、このエアバック９を駆動する駆動機構１０と、を有している。
【００１５】
なお、本実施形態のストレッチ運動機１の左右方向の長さ（幅）は、使用者の肩幅よりやや大きいものである。また、このストレッチ運動機１を広げたときの前後方向の長さは、およそ使用者の頭部から臀部にかけての長さ（８０ｃｍ〜１００ｃｍ程度）に相当するものである。
図１、図３などに示す如く、枕部２は、ケース体３（格納体）を有し、ケース体３は左右方向に長尺な部材である。そのケース体３の内部は、所定の大きさの空間が形成されていて、エアバッグ９を駆動する駆動機構１０を格納する。
【００１６】
ケース体３は、円筒状であって略水平方向に二分割された形状である。つまり、ケース体３は、断面半円形状とされた筒体の開口側を互いに向かい合って重ね合わせることで、内部に空間が形成されている。ケース体３は、下面が平たく切り欠かれ、後方に張り出た形状となっている。これにより、枕部２を床面Ｆなどの平らな面に載置することができる。
【００１７】
ケース体３は、外周全体がクッション部材（図示せず）に覆われている。本実施形態のケース体３は、円筒形状の部材とされている。なお、枕部２（ケース体３）の形状については、本実施形態で例示した形状に限定されない。
図４、図５に示すように、枕部２の下部には、後方向（反枕方向）に向かって張出形状の膨出部が設けられている。膨出部４は、側面視で、ケース体３の下部より後方向（シート部３側）に突出するように設けられている。本実施形態においては、円筒形状の枕部２の下部より、床面に沿うように膨らんだ形状の膨出部４が設けられている。膨出部４は、下面が平たく切り欠かれ、後方に張り出た形状となっている。
【００１８】
この膨出部４には、後方向に向かって開口され、枕部２の内部と外部とを連通状態にする開口部５が形成されている。この開口部５は、左右方向に長い長方形状に開口されたものであり、シート部３の前側が接続される。
また、膨出部４には、駆動機構１０を構成するコネクタ１３や空気供給ホース１２を配設することが可能な平らな載置面６が設けられている。この載置面６には、コネクタ１３が外部へ移動することを防ぐ、すなわち枕部２（ケース体３）内に留めておくための側壁部７が立設されている。
【００１９】
載置面６は、左右方向に長く、膨出部４の幅と同じ大きさとされている。側壁部７は、載置面６を囲うように開口部５側に連続して立設されている。
このように、膨出部４が設けられていることにより、駆動機構１０を構成するコネクタ１３や空気供給ホース１２などが、開口部５から外部へ露出せずにケース体３（枕部２）内に留まるので、図６に示すような、可撓性のシート部８を枕部２の外周回りに巻き付けて留め置いた状態のときに、コネクタ１３や空気供給ホース１２などが巻き込まれたり、挟まれて折れたりしないようになっている。すなわち、膨出部４は、コネクタ１３や空気供給ホース１２を受け留めておくための受け部ともいえる。
【００２０】
図４に示すように、ケース体３（枕部２）の内部には、駆動機構１０が格納されている。駆動機構１０は、加圧した空気を供給してエアバッグ９に膨張させるポンプ１１（コンプレッサ）と、ポンプ１１から送出された空気をエアバッグ９に導く空気供給ホース１２と、当該空気供給ホース１２とエアバッグ９を繋ぐコネクタ１３と、エアバッグ９に供給する空気の量を制御する電磁弁１４と、この電磁弁１４を制御する制御部１５と、を有している。
【００２１】
ポンプ１１は、ケース体３の左側に備えられていて、ホース（図示せず）を介して電磁弁１４に接続されている。ポンプ１１は、加圧した空気を電磁弁１４に送出し、その電磁弁１４を経た後、空気供給ホース１２やコネクタ１３などより、エアバッグ９にその空気を供給する。
電磁弁１４は、エアバッグ９への空気の導入と、エアバッグ９からの空気の排出を切り替えるものである。電磁弁１４は、ケース体３の中央に設けられていて、エアバッグ９に空気を供給する空気供給ホース１２に接続されている。この電磁弁１４は、制御部１５にて制御されており、ポンプ１１から送出された空気を所定のエアバッグ９に送出している。
【００２２】
制御部１５は、ケース体３の右側に備えられている。この制御部１５には、複数のストレッチ運動を行わせるプログラムが組み込まれていて、プログラムごとにエアバッグ９の膨張及び収縮を制御している。
空気供給ホース１２は、エアバッグ９に備えられているコネクタ１３に接続されている。なお、空気供給ホース１２としては、例えば可撓性を有するゴムチューブなどを採用するとよい。
【００２３】
コネクタ１３は、Ｌ字形状の円筒部材で形成されていて、エアバッグ９に取り付けられている。ポンプ１１からの空気が電磁弁１４を経て、空気供給ホース１２とコネクタ１３を通過することにより、エアバッグ９に供給されて膨張する。
これらより、使用者Ｕは、背部や臀部などの施療部に対して、所望するストレッチ運動を選択することができる。
【００２４】
枕部２の後側には、シート部８が接続されている。シート部８は、床面Ｆなどに敷設可能なものであって、使用者Ｕが仰向けに寝ることができる大きさの面積を有している。また、シート部８は、例えば布などの可撓性の部材で形成されている。なお、シート部８の前側には、枕部２が接続されている。
シート部８は、その内部（上布と下布の間）に、仰臥した使用者Ｕの背部、臀部、下肢などの施療部に対して、当該施療部を上方に押し上げて、当該施療部に対してストレッチ運動を行わせるエアバッグ９が複数備えられている。なお、シート部８としては、例えば二枚の布（上布、下布）の端部を縫い合わせることで、内部に空間を設けるなどといったようにするとよい。
【００２５】
図６に示すように、シート部８の後側には、係合部材１７（例えば、面ファスナーなど）が備えられている。係合部材１７は、シート部８を枕部２の外周回りに巻き付けて留め置いたり、シート部８を枕部２から開放することが可能とするためのものである。これにより、ストレッチ運動機１は、床面Ｆなどに簡単に敷設することができ、巻き取ることで狭小な場所でも収納することができる。
【００２６】
図１〜図４などに示すように、エアバッグ９は、シート部８の内部に、少なくとも四つ以上格納されている。複数のエアバッグ９は、空気を不透過とされた布体を上下に配置し、その周縁を溶着などにより気密状態に接合した構造とされている（溶着構造）。
詳しくは、図２に示すように、シート部８の左前側に第１エアバッグ９ａが配置されていて、シート部８の左後側に第２エアバッグ９ｂが配置されている。つまり、シート部８の左側において、第１エアバッグ９ａと第２エアバッグ９ｂが、前後に列ぶように備えられている。言い換えれば、第１エアバッグ９ａと第３エアバッグ９ｃは、シート部８の前側において、左右一対となるように隣接配置されている。
【００２７】
また、シート部８の右前側に第３エアバッグ９ｃが配置されていて、シート部８の右後側に第４エアバッグ９ｄが配置されている。つまり、シート部８の右側において、第３エアバッグ９ｃと第４エアバッグ９ｄが、前後に列ぶように備えられている。言い換えれば、第２エアバッグ９ｂと第４エアバッグ９ｄは、シート部８の後側において、左右一対となるように隣接配置されている。
【００２８】
第１エアバッグ９ａ〜第４エアバッグ９ｄは、ポンプ１１からの加圧された空気を貯留可能に形成され、例えば「長方形状」や「楕円形状」などの形状とされた袋体であり、大きく膨張できるように膨縮自在に形成されている。これら第１エアバッグ９ａ〜第４エアバッグ９ｄは、それぞれ独立して膨縮することが可能な構成とされている。
第１エアバッグ９ａは、シート部８の左前側に配備されているものであって、仰向けに寝た使用者Ｕの右側の背部（肩胛骨部、背中、臀部など）や臀部などに対応する位置に配置されている。なお、使用者が仰向きに寝るため、使用者の右側がストレッチ運動機１の左側のエアバッグ９に対面することとなる。本実施形態の第１エアバッグ９ａは、平面視で、前後方向に長い長方形状の袋体とされている。
【００２９】
第１エアバッグ９ａの前側には、第１コネクタ１３ａが取り付けられている。その第１コネクタ１３ａには、第１空気供給ホース１２ａが接続されている。ポンプ１１からの空気が第１空気供給ホース１２ａと第１コネクタ１３ａを通過することにより、第１エアバッグ９ａに供給されて膨張する。
この第１エアバッグ９ａがシート部８の上面から上方向に向かって膨張することで、シート部８上に仰向けに寝た使用者Ｕの右側の背部や臀部などの施療部に対して、ストレッチ運動を付与する。
【００３０】
第２エアバッグ９ｂは、シート部８の左後側に配備されているものであって、仰向けに寝た使用者Ｕの右側の下肢（大腿部など）や臀部などに対応する位置に配置されている。本実施形態の第２エアバッグ９ｂは、平面視で、前後方向に長い楕円形状の袋体とされている。
この第２エアバッグ９ｂには、ポンプ１１から供給された空気が通過する空気通路１６ａが設けられている。この空気通路１６ａは、第１エアバッグ９ａの左外側を通過するように備えられている。空気通路１６ａは、平面視で、前後方向に長い筒形状の袋体とされている。すなわち、第２エアバッグ９ｂと空気通路１６ａは、連通状態となるように形成されている。
【００３１】
第２エアバッグ９ｂを繋ぐ空気通路１６ａの前側には、第２コネクタ１３ｂが取り付けられている。その第２コネクタ１３ｂには、第２空気供給ホース１２ｂが接続されている。ポンプ１１からの空気が第２空気供給ホース１２ｂと第２コネクタ１３ｂを経て、空気通路１６ａを通過することにより、第２エアバッグ９ｂに供給されて膨張する。
この第２エアバッグ９ｂがシート部８の上面から上方向に向かって膨張することで、シート部８上に仰向けに寝た使用者Ｕの右側の下肢や臀部などの施療部に対して、ストレッチ運動を付与する。
【００３２】
なお、第１エアバッグ９ａ、第２エアバッグ９ｂの形状に関しては、シート部８上に仰臥した使用者Ｕの施療部に対してストレッチ運動することができるものであれば、特に限定しない。
ところで、第３エアバッグ９ｃは、第１エアバッグ９ａを右に反転（鏡像反転）させて配置したものである。すなわち、第３エアバッグ９ｃと第１エアバッグ９ａは、左右対称のものである。また、第４エアバッグ９ｄは、第２エアバッグ９ｂを右に反転させて配置したものである。すなわち、第４エアバッグ９ｄと第２エアバッグ９ｂは、左右対称のものである。
【００３３】
それ故、第３エアバッグ９ｃ及び第４エアバッグ９ｄの詳細な説明については、第１エアバッグ９ａ及び第２エアバッグ９ｂとほぼ同じであるので省略する。
つまり、第３エアバッグ９ｃには、第３コネクタ１３ｃが取り付けられていて、その第３コネクタ１３ｃには第３空気供給ホース１２ｃが接続されている。
また、第４エアバッグ９ｄには、ポンプ１１から供給された空気が通過する空気通路１６ｂが設けられていて、その空気通路１６ｂは第３エアバッグ９ｃの右外側を通過するように備えられている。空気通路１６ｂには、第４コネクタ１３ｄが取り付けられていて、その第４コネクタ１３ｄには第４空気供給ホース１２ｄが接続されている。
【００３４】
このように、第１エアバッグ９ａが膨張することにより、シート部８に仰向けに寝た使用者Ｕの右前側の背部や臀部などの施療部が持ち上げられてストレッチ運動を付与され、第２エアバッグ９ｂが膨張することにより、シート部８に仰向けに寝た使用者Ｕの右後側の下肢や臀部などの施療部が持ち上げられてストレッチ運動されることとなる。
また、第３エアバッグ９ｃが膨張することにより、シート部８に仰向けに寝た使用者Ｕの左前側の背部や臀部などの施療部が持ち上げられてストレッチ運動され、第４エアバッグ９ｄが膨張することにより、シート部８に仰向けに寝た使用者Ｕの左後側の下肢や臀部などの施療部が持ち上げられてストレッチ運動されることとなる。
【００３５】
さて、上記した第１エアバッグ９ａ〜第４エアバッグ９ｄは、それぞれ独立して交互に膨縮することが可能な構成とされている。例えば、第１エアバッグ９ａと第２エアバッグ９ｂを共に膨張させ、収縮後に第３エアバッグ９ｃと第４エアバッグ９ｄを共に膨張させるといったような、所定のエアバッグ９を交互に膨縮させる動作を行うことができる。
具体的には、シート部８の左側に配置されている第１エアバッグ９ａと第２エアバッグ９ｂを膨張させ、それらを収縮させると同時に、シート部８の右側に配置されている第３エアバッグ９ｃ及び第４エアバッグ９ｄを膨張させ始めるような制御を行ってもよい。つまり、第１エアバッグ９ａ及び第２エアバッグ９ｂと、第３エアバッグ９ｃ及び第４エアバッグ９ｄを交互に膨縮するようにしてもよい。
【００３６】
また、シート部８において配置関係がクロス方向である第１エアバッグ９ａ及び第４エアバッグ９ｄを膨張させ、それらを収縮させると同時に、反対のクロス方向の配置である第３エアバッグ９ｃ及び第２エアバッグ９ｂを膨張させ始めるような制御を行ってもよい。つまり、第１エアバッグ９ａ及び第４エアバッグ９ｄと、第２エアバッグ９ｂ及び第３エアバッグ９ｃを交互に膨縮するようにしてもよい。
【００３７】
シート部８の前側に配置されている第１エアバッグ９ａと第３エアバッグ９ｃを膨張させ、それらを収縮させると同時に、シート部８の後側に配置されている第２エアバッグ９ｂ及び第４エアバッグ９ｄを膨張させ始めるような制御を行ってもよい。つまり、第１エアバッグ９ａ及び第３エアバッグ９ｃと、第２エアバッグ９ｂ及び第４エアバッグ９ｄを交互に膨縮するようにしてもよい。
【００３８】
なお、各エアバッグ９ａ〜９ｄを膨縮させるタイミングについては、個別に遅らせたり早めたりする制御も可能である。
以上、本発明によれば、使用者Ｕがストレッチ運動機１を簡単に、床面Ｆなどに敷設したり収納することができ、装置収納時においてエアバッグ９の機構が巻き込まれることなく、スムーズ且つコンパクトに収納することができる。
【００３９】
さらに、枕部２において、コネクタ１３や空気供給ホース１２などが、開口部５に設けられている膨出部４内に留まるので、シート部８を枕部２の外周回りに巻き付けて留め置いたときに、コネクタ１３や空気供給ホース１２などの挟み込みや巻き込みを防ぐことができる。
また、エアバッグ９は溶着構造で構成され、このエアバッグ９にポンプ１１からの空気を供給する空気通路１６ａ、１６ｂも溶着構造で構成されているため、シート部８を枕部２の外周回りに巻き付ける際に容易に巻きつけることができ、ホース１２が折れ曲がったり撚れたりすることがなく、空気通路を痛めることもない。
【００４０】
なお、今回開示された実施形態はすべての点で例示であって制限的なものではないと考えられるべきである。
特に、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【符号の説明】
【００４１】
１  エア式シート型ストレッチ運動機
２  枕部
３  ケース体
４  膨出部
５  開口部
６  載置面
７  側壁部
８  シート部
９  エアバッグ
９ａ  第１エアバッグ
９ｂ  第２エアバッグ
９ｃ  第３エアバッグ
９ｄ  第４エアバッグ
１０  駆動機構
１１  ポンプ
１２  空気供給ホース
１２ａ  第１空気供給ホース
１２ｂ  第２空気供給ホース
１２ｃ  第３空気供給ホース
１２ｄ  第４空気供給ホース
１３  コネクタ
１３ａ  第１コネクタ
１３ｂ  第２コネクタ
１３ｃ  第３コネクタ
１３ｄ  第４コネクタ
１４  電磁弁
１５  制御部
１６ａ  空気通路
１６ｂ  空気通路
１７  係合部材
Ｕ  使用者
Ｆ  床面
【図１】
2019217037.tif 000003
【図２】
2019217037.tif 000004
【図３】
2019217037.tif 000005
【図４】
2019217037.tif 000006
【図５】
2019217037.tif 000007
【図６】
2019217037.tif 000008